(57)【特許請求の範囲】
【請求項１】
断熱板の片面に粘着剤の塗布パターンを有する粘着剤付き断熱板であって、前記塗布パターンは、スパイラルスプレー方式で塗布されたものであって、塗布高さの異なる低部塗布領域と高部塗布領域を有していることを特徴とする粘着剤付き断熱板。
【請求項２】
請求項１に記載の粘着剤付き断熱板の複数枚を、粘着剤塗布面と粘着剤非塗布面とを粘着させて一体化したことを特徴とする断熱板集合体。
【請求項３】
請求項１に記載の２枚の粘着剤付き断熱板を、粘着剤塗布面同士を粘着させて一体化したことを特徴とする断熱板集合体。
【請求項４】
前記２枚の粘着剤付き断熱板の粘着剤の塗布パターンが重ならないことを特徴とする請求項３に記載の断熱板集合体。
【請求項５】
前記粘着剤付き断熱板同士が、実質的に前記高部塗布領域の粘着剤のみで粘着されていることを特徴とする請求項２乃至４のいずれか一項に記載の断熱板集合体。
【請求項６】
構造物に断熱板を取り付ける際に、断熱板の仮止めを必要とする断熱工法において、被粘着部材に、請求項２乃至５のいずれか一項に記載の断熱板集合体から分離された粘着剤付き断熱板を、前記低部塗布領域と高部塗布領域の双方の粘着剤によって粘着させ、仮止めすることを特徴とする断熱工法。
【発明の詳細な説明】
【技術分野】
【０００１】
本発明は、建築構造物の躯体等に取り付けられる粘着剤付き断熱板及びそれを用いた構造物の断熱工法に関する。
【背景技術】
【０００２】
建築構造物の躯体等に断熱板を取り付けるに際して、仮止めを必要とする場合には、粘着剤を予め塗布してある粘着剤付き断熱板を用いることがある。従来の粘着剤付き断熱板は、粘着剤を断熱板の片面全面にベタで塗布したり、ストライプ状等に片面全面に均一に塗布し、この粘着剤塗布面を離型紙で覆って、建築現場等にて離型紙を剥がして躯体等に仮固定される。
【０００３】
例えば特許文献１、２には、ＲＣやＳＲＣ構造物の床や屋根スラブを断熱施工するに際し、デッキプレートを下型枠として敷設し、その上に粘着剤付き断熱板を貼り付けて仮止めした後、配筋してコンクリートを打設する断熱スラブの構築工法が開示されている。
【０００４】
上記のような粘着剤付き断熱板を用いることにより、特に合成樹脂発泡体製のような軽量な断熱板であっても風で飛ばされたり、位置ずれを起こすことがなく、現場での施工効率を高めることができる。また、粘着剤塗布面を離型紙で覆っているため、断熱板を山積みにして保管・搬送等することもできる。
【０００５】
【特許文献１】特開平６−２１２７２２号公報
【特許文献２】特開平７−５４４３３号公報
【発明の開示】
【発明が解決しようとする課題】
【０００６】
しかしながら、従来の粘着剤付き断熱板では、断熱板毎に１枚づつ離型紙を使用するため、離型紙の費用及び現場での離型紙処理に費用がかかるためコスト高になるという問題があった。
【０００７】
そこで本発明は、離型紙レスであっても山積みにして保管・搬送等し得る新規な粘着剤付き断熱板、断熱板集合体、更にはかかる粘着剤付き断熱板を用いた断熱工法を提供することを目的とする。
【課題を解決するための手段】
【０００８】
上記の目的を達成すべく成された本発明の構成は、以下の通りである。
すなわち、本発明は、断熱板の片面に粘着剤の塗布パターンを有する粘着剤付き断熱板であって、前記塗布パターンは、スパイラルスプレー方式で塗布されたものであって、塗布高さの異なる低部塗布領域と高部塗布領域を有していることを特徴とする。
【０００９】
また、本発明の断熱板集合体は、上記本発明の粘着剤付き断熱板の複数枚を、粘着剤塗布面と粘着剤非塗布面とを粘着させて一体化したことを特徴とする。
また、本発明の別の断熱板集合体は、上記本発明の２枚の粘着剤付き断熱板を、粘着剤塗布面同士を粘着させて一体化したことを特徴とする。この場合、前記２枚の粘着剤付き断熱板の粘着剤の塗布パターンが重ならないことが好ましい。
また、本発明の断熱板集合体においては、前記粘着剤付き断熱板同士が、実質的に前記高部塗布領域の粘着剤のみで粘着されていることが好ましい。
【００１０】
また、本発明は、構造物に断熱板を取り付ける際に、断熱板の仮止めを必要とする断熱工法において、被粘着部材に、上記本発明の断熱板集合体から分離された粘着剤付き断熱板を、前記低部塗布領域と高部塗布領域の双方の粘着剤によって粘着させ、仮止めすることを特徴とする。
【発明の効果】
【００１１】
本発明の粘着剤付き断熱板によれば、粘着剤の塗布パターンが、塗布高さの異なる低部塗布領域と高部塗布領域を有しているため、比較的小さな圧力を加えた場合には一部の粘着剤（高部塗布領域の粘着剤）による小さな粘着力をもって粘着させ、比較的大きな圧力を加えた場合には低部塗布領域と高部塗布領域の双方の粘着剤による大きな粘着力をもって粘着させることができる。このため、比較的小さな圧力を加えて一部の粘着剤（高部塗布領域の粘着剤）によって粘着剤付き断熱板同士を粘着させることにより、後に容易に断熱板を分離して使用できる断熱板集合体を構成することができる。また、構造物の断熱施工に際しては、断熱板集合体から分離された粘着剤付き断熱板に比較的大きな圧力を加えることで、被粘着部材に低部塗布領域と高部塗布領域の双方の粘着剤によって断熱板を粘着させて、十分な仮止め力を得ることができる。
【００１２】
したがって、本発明によれば、離型紙を要することなく粘着剤付き断熱板を山積みにして保管・搬送することができ、粘着剤付き断熱板の生産コストを削減できると共に、断熱施工の現場においても離型紙の処理（剥離および廃棄処理）を必要としない為、施工コストを削減することができ、二重のコスト削減効果を有する。
【発明を実施するための最良の形態】
【００１３】
以下、本発明の実施形態例を図面に基づいて説明するが、本発明はかかる形態例に限定されるものではない。
【００１４】
図１は本発明の粘着剤付き断熱板の一例を示す平面図である。この粘着剤付き断熱板１０は、断熱板１１の片面に粘着剤の塗布パターン１２を有するものである。
【００１５】
断熱板１１としては、断熱性に優れかつ軽量なものが好ましく、具体的には、例えばポリスチレン系発泡体，ポリエチレン系発泡体，ポリプロピレン系発泡体，ポリウレタン系発泡体，フェノール系発泡体等の合成樹脂発泡体が好適である。
【００１６】
粘着剤（感圧接着剤）の種類は特に限定されるものではなく、例えばアクリル系粘着剤、合成ゴム系粘着剤、ウレタン系粘着剤、シリコーン粘着剤等を用いることができる。
【００１７】
本例の粘着剤の塗布パターン１２は、スパイラルスプレー方式で塗布されたものである。このスパイラルスプレー方式とは、旋回する気流の中心から粘着剤を吐出することにより、粘着剤を螺旋状に繊維化して、走行する被塗布物（断熱板１１）に螺旋状の塗布パターンで塗布するものであり、例えば特開昭６３−２８３７７４号公報、特開平１１−２４４７７４号公報、特開２０００−３４３００６号公報等に示されており、紙おむつ等の製造などで一般的に利用されているものである。
【００１８】
図２は本例の粘着剤の塗布パターン１２を模式的に示す拡大図である。スパイラルスプレー方式で塗布された螺旋の交点では他の部分の倍の粘着剤が塗布されることになり、塗布高さの高い高部塗布領域１２ｂとなり、これらは図示のように散点状に分布することになる。一方、高部塗布領域１２ｂ以外の部分は、塗布高さの低い低部塗布領域１２ａとなる。このようにスパイラルスプレー方式を用いることにより、塗布高さの異なる低部塗布領域１２ａと高部塗布領域１２ｂを有する塗布パターン１２を一筆書きのようにして極めて簡単に形成することができる。また、螺旋の大きさ及び被塗布物（断熱板１１）の走行速度等を適宜設定することにより、低部塗布領域１２ａと高部塗布領域１２ｂの割合及び配置を任意に設定することができる。
【００２０】
本発明において、断熱板の面積に対する粘着剤の塗布面積（低部塗布領域１２ａと高部塗布領域１２ｂの面積の和）の割合、および接着剤の塗布面積に対する高部塗布領域１２ｂの面積の割合は、本発明の断熱工法において被粘着部材に断熱板を仮止めする際に必要とされる粘着力、および本発明の断熱板集合体を構成する際に必要とされる粘着力を考慮して適宜設計することができる。
【００２１】
断熱板の面積に対する粘着剤の塗布面積の割合は、粘着剤の種類などにもよるが、通常は２〜２０％程度が好ましい。この割合が２％未満であると、本発明の断熱工法において被粘着部材に断熱板を仮止めする際に十分な仮止め力を得るのが難しくなる。一方、２０％を超えると、必要以上の粘着剤の使用によるコストの増大を招く。
【００２２】
また、接着剤の塗布面積に対する高部塗布領域１２ｂの面積の割合は、これも粘着剤の種類などにもよるが、通常は５〜５０％程度が好ましい。この割合が５％未満であると、多数枚の粘着剤付き断熱板を山積みにして保管・搬送しているうちに、高部塗布領域１２ｂの分布状態にもよるが、高部塗布領域１２ｂだけではなく低部塗布領域１２ａの粘着剤によっても粘着されて過剰な粘着力で粘着され易くなり、断熱板を分離して使用する際に、断熱板の一部が破損し易くなる。一方、５０％を超えると、本発明の断熱板集合体を構成する際に、高部塗布領域１２ｂの粘着剤だけで粘着しても、過剰な粘着力で粘着され易くなり、先と同様、断熱板を分離して使用する際に、断熱板の一部が破損し易くなる。
【００２３】
本発明の断熱板集合体は、上記のような粘着剤付き断熱板同士を粘着させて一体化したものであり、その構成例を図３及び図４に示す。これらの図において、（ａ）は全体斜視図、（ｂ）は粘着の状態を説明するための模式図である。
【００２４】
図３（ａ）の断熱板集合体３０は、上述したような構成を有する本発明の９枚の粘着剤付き断熱板３１と、粘着剤の塗布されていない１枚（最上部の１枚）の断熱板３２との集合体であり、図３（ｂ）に示すように粘着剤塗布面３３と粘着剤非塗布面３４とを粘着させて一体化されている。
【００２５】
図４（ａ）の断熱板集合体４０は、上述したような構成を有する本発明の２枚の粘着剤付き断熱板４１、４２の集合体であり、粘着剤塗布面同士を粘着させて一体化されている。このように粘着剤塗布面同士を粘着させる場合には、図４（ｂ）に示すように、粘着剤付き断熱板４１の塗布パターン４３と、粘着剤付き断熱板４２の塗布パターン４４が重ならないようにするのが好ましい。
【００２６】
本発明の粘着剤付き断熱板では、粘着剤の塗布パターンが、塗布高さの異なる低部塗布領域１２ａと高部塗布領域１２ｂを有しているため、比較的小さな圧力を加えることにより、図３（ｂ）及び図４（ｂ）に示すように、実質的に高部塗布領域１２ｂの粘着剤のみによって断熱板同士を粘着させることができる。なお、図３（ｂ）及び図４（ｂ）の例では、低部塗布領域１２ａが相手側の断熱板から完全に離れているが、部分的には接していても構わない。
【００２７】
以上のようにして複数の粘着剤付き断熱板が一体化された断熱板集合体では、現場において容易に断熱板を剥離して使用することができる。つまり、塗布された一部の接着剤（高部塗布領域１２ｂ）による小さな粘着力をもって断熱板同士を粘着させているため、剥離時に断熱板を破損することなく簡単に分離することができる。特に、高部塗布領域１２ｂが散点状に分布しているものでは、極めて良好に分離することができる。
【００２８】
次に、本発明の断熱工法を説明する。
本発明の断熱工法は、例えば、特許文献１、２に記載されているようなＲＣやＳＲＣ構造物の床や屋根スラブの断熱施工のように、デッキプレートを型枠として敷設し、この上に断熱板を敷き込む際に、断熱板が風で飛ばされたり、位置ずれを起こさないように、断熱板の仮止めを必要とする工法であり、被粘着部材（上記の例ではデッキプレート）に、上述した本発明の断熱板集合体から分離された粘着剤付き断熱板を、低部塗布領域１２ａと高部塗布領域１２ｂの双方の粘着剤によって粘着させ、仮止めするものである。
【００２９】
本発明の断熱板集合体から分離された粘着剤付き断熱板では、低部塗布領域１２ａの粘着剤はほとんど製造時の状態のままで初期の粘着力をそのまま保持している。また、高部塗布領域１２ｂの粘着剤は若干潰れた状態となるものの粘着力を保持している。そして、図５に示すように、比較的大きな圧力（断熱板集合体を形成する際に加える圧力よりも大きな圧力）を加えて、粘着剤付き断熱板５０を被粘着部材５１に粘着させると、低部塗布領域１２ａと高部塗布領域１２ｂの双方の粘着剤によって粘着させて、十分な仮止め力を得ることができる。
【００３０】
以上のように、本発明によれば、離型紙を要することなく粘着剤付き断熱板を山積みにして保管・搬送することができ、粘着剤付き断熱板の生産コストを削減できると共に、断熱施工の現場においても離型紙の処理（剥離および廃棄処理）を必要としない為、施工コストを削減することができる。
【図面の簡単な説明】
【００３１】
【図１】本発明の粘着剤付き断熱板の一例を示す平面図である。
【図２】図１の粘着剤付き断熱板における粘着剤の塗布パターンを模式的に示す拡大図である。
【図３】本発明の断熱板集合体の一例を示しており、（ａ）は全体斜視図、（ｂ）は粘着の状態を説明するための模式的断面図である。
【図４】本発明の断熱板集合体の別の例を示しており、（ａ）は全体斜視図、（ｂ）は粘着の状態を説明するための模式的断面図である。
【図５】本発明の断熱工法における粘着剤付き断熱板の仮止めの状態を説明するための模式的断面図である。
【符号の説明】
【００３２】
１０  粘着剤付き断熱板
１１  断熱板
１２  粘着剤の塗布パターン
１２ａ  低部塗布領域
１２ｂ  高部塗布領域
３０  断熱板集合体
３１  粘着剤付き断熱板
３２  粘着剤の塗布されていない断熱板
３３  粘着剤塗布面
３４  粘着剤非塗布面
４０  断熱板集合体
４１、４２  粘着剤付き断熱板
４３、４４  粘着剤の塗布パターン
５０  粘着剤付き断熱板
５１  被粘着部材
【図１】
0004809008.tif 000002
【図２】
0004809008.tif 000003
【図３】
0004809008.tif 000004
【図４】
0004809008.tif 000005
【図５】
0004809008.tif 000006